(57)【要約】【課題】意図しない短絡を防止するとともに美観を向上させることができるスタイラスペンを提供する。【解決手段】スタイラスペン３は、本体部３ａの側部に設けられた電気接続用の端子６と、端子６を覆う被覆位置と端子６を露出する露出位置との間を本体部３ａに対して相対移動するカバー部５と、電子機器１に形成された収納穴２に挿入される動作に応じて、被覆位置から露出位置へとカバー部５を相対移動させる移動機構とを備えている。収納穴２に収納されていない非収納時に、カバー部５を被覆位置に付勢するコイルバネが設けられている。【選択図】図１
2018073051.tif 000002
【特許請求の範囲】
【請求項１】
本体部の側部に設けられた電気接続用の端子と、
該端子を覆う被覆位置と該端子を露出する露出位置との間を前記本体部に対して相対移動するカバー部と、
電子機器に形成された収納穴に挿入される動作に応じて、前記被覆位置から前記露出位置へと前記カバー部を相対移動させる移動機構と、
を備えているペン型入力装置。
【請求項２】
前記移動機構は、前記カバー部が前記収納穴に収納されていない非収納時に、前記カバー部を前記被覆位置に付勢する付勢部材を備えている請求項１に記載のペン型入力装置。
【請求項３】
前記移動機構は、前記収納穴に設けられた突起部に対して前記カバー部が接触した際に発生する力を利用して前記被覆位置から前記露出位置へと前記カバー部を相対移動させる請求項１又は２に記載のペン型入力装置。
【請求項４】
前記移動機構は、前記カバー部が前記収納穴に収納されていない非収納時に該カバー部に対して外方に突出しかつ該カバー部が前記収納穴に収納された収納時に前記カバー部内に退避する進退部を備えるとともに、
前記収納穴の縁部に前記進退部が接触した際に発生する力を利用して前記被覆位置から前記露出位置へと前記カバー部を相対移動させる請求項１又は２に記載のペン型入力装置。
【請求項５】
前記端子は、前記本体部の先端側から順に設けられた第１端子及び第２端子を有し、
前記第１端子及び前記第２端子は、それぞれ、前記本体部の全周にわたって設けられるとともに、前記本体部が前記収納穴に収納された際に、前記収納穴の奥側から手前側に順に設けられた第１接点及び第２接点と接続され、
前記収納穴に前記本体部が挿入される際に、前記第１端子が前記第２接点と接続されずに該第２接点が該第１端子を乗り越えた後に前記第２端子と接続される請求項１から４のいずれかに記載のペン型入力装置。
【請求項６】
前記第１端子の両側には、該第１端子よりも大きな径とされた電気絶縁性を有する大径部が設けられ、
前記第１端子の軸線方向における幅は、前記第２接点の軸線方向における幅よりも小さい請求項５に記載のペン型入力装置。
【請求項７】
前記第１端子の径は、前記本体部の挿入時に前記第２接点の内周側先端が該第１端子上を通過する位置よりも小さくされている請求項５に記載のペン型入力装置。
【請求項８】
本体部の先端側から順に設けられた第１端子及び第２端子を有し、
前記第１端子及び前記第２端子は、それぞれ、前記本体部の全周にわたって設けられるとともに、電子機器に形成された収納穴に前記本体部が収納された際に、前記収納穴の奥側から手前側に順に設けられた第１接点及び第２接点と接続され、
前記収納穴に前記本体部が挿入される際に、前記第１端子が前記第２接点と接続されずに該第２接点が該第１端子を乗り越えた後に前記第２端子と接続されるペン型入力装置。
【請求項９】
筐体と、
該筐体に形成された収納穴に挿入される請求項１から８のいずれかに記載のペン型入力装置と、
を備えている電子機器。
【発明の詳細な説明】
【技術分野】
【０００１】
本発明は、電子機器の収納穴に収納されるペン型入力装置及びこれを備えた電子機器に関するものである。
【背景技術】
【０００２】
ノートブック型パーソナルコンピュータ（ノート型ＰＣ）、タブレット型パーソナルコンピュータ（タブレット型ＰＣ）、スマートフォン等の携帯型の電子機器では、入力デバイスとしてタッチ操作用のペン型入力機器が用いられる（特許文献１参照）。
【０００３】
ペン型入力機器は、充電式の二次電池を内蔵しており、本体部の側部には充電用の端子が設けられている。電子機器の収納穴には、ペン型入力装置の端子に対応する給電用の接点が設けられており、ペン型入力機器を収納穴に収納するだけで端子と接点とを接続して充電を行うことができるようになっている。
【先行技術文献】
【特許文献】
【０００４】
【特許文献１】特開２０１６−１２６４１２号公報
【発明の概要】
【発明が解決しようとする課題】
【０００５】
しかし、ペン型入力装置の端子が外部に露出しているので、意図せず端子が短絡してしまうおそれがある。
また、端子の金属色が外部から視認できるので、美観が損なわれるという問題がある。
また、ペン型入力装置の端子が軸線回りの一部にのみ設けられているので、電子機器の収納穴に挿入する際に軸線回りの回転方向を所定の角度に合わせた上で挿入しなければならず、ユーザに負担を強いていた。
【０００６】
本発明は、このような事情に鑑みてなされたものであって、意図しない短絡を防止するとともに美観を向上させることができるペン型入力装置及びこれを備えた電子機器を提供することを目的とする。
また、本発明は、ペン型入力装置の軸線回りの回転方向を意識することなく収納穴に容易に収納することができるペン型入力装置及びこれを備えた電子機器を提供することを目的とする。
【課題を解決するための手段】
【０００７】
上記課題を解決するために、本発明のペン型入力装置及びこれを備えた電子機器は以下の手段を採用する。
【０００８】
本発明のペン型入力装置は、本体部の側部に設けられた電気接続用の端子と、該端子を覆う被覆位置と該端子を露出する露出位置との間を前記本体部に対して相対移動するカバー部と、電子機器に形成された収納穴に挿入される動作に応じて、前記被覆位置から前記露出位置へと前記カバー部を相対移動させる移動機構とを備えている。
【０００９】
さらに、本発明のペン型入力装置では、前記移動機構は、前記カバー部が前記収納穴に収納されていない非収納時に、前記カバー部を前記被覆位置に付勢する付勢部材を備えている。
【００１０】
さらに、本発明のペン型入力装置では、前記移動機構は、前記収納穴に設けられた突起部に対して前記カバー部が接触した際に発生する力を利用して前記被覆位置から前記露出位置へと前記カバー部を相対移動させる。
【００１１】
さらに、本発明のペン型入力装置では、前記移動機構は、前記カバー部が前記収納穴に収納されていない非収納時に該カバー部に対して外方に突出しかつ該カバー部が前記収納穴に収納された収納時に前記カバー部内に退避する進退部を備えるとともに、前記収納穴の縁部に前記進退部が接触した際に発生する力を利用して前記被覆位置から前記露出位置へと前記カバー部を相対移動させる。
【００１２】
さらに、本発明のペン型入力装置では、前記端子は、前記本体部の先端側から順に設けられた第１端子及び第２端子を有し、前記第１端子及び前記第２端子は、それぞれ、前記本体部の全周にわたって設けられるとともに、前記本体部が前記収納穴に収納された際に、前記収納穴の奥側から手前側に順に設けられた第１接点及び第２接点と接続され、前記収納穴に前記本体部が挿入される際に、前記第１端子が前記第２接点と接続されずに該第２接点が該第１端子を乗り越えた後に前記第２端子と接続される。
【００１３】
さらに、本発明のペン型入力装置では、前記第１端子の両側には、該第１端子よりも大きな径とされた電気絶縁性を有する大径部が設けられ、前記第１端子の軸線方向における幅は、前記第２接点の軸線方向における幅よりも小さい。
【００１４】
さらに、本発明のペン型入力装置では、前記第１端子の径は、前記本体部の挿入時に前記第２接点の内周側先端が該第１端子上を通過する位置よりも小さくされている。
【００１５】
また、本発明のペン型入力装置は、本体部の先端側から順に設けられた第１端子及び第２端子を有し、前記第１端子及び前記第２端子は、それぞれ、前記本体部の全周にわたって設けられるとともに、電子機器に形成された収納穴に前記本体部が収納された際に、前記収納穴の奥側から手前側に順に設けられた第１接点及び第２接点と接続され、前記収納穴に前記本体部が挿入される際に、前記第１端子が前記第２接点と接続されずに該第２接点が該第１端子を乗り越えた後に前記第２端子と接続される。
【００１６】
また、本発明の電子機器は、筐体と、該筐体に形成された収納穴に挿入される上記のいずれかに記載のペン型入力装置とを備えている。
【発明の効果】
【００１７】
端子を覆うカバー部を設けることとしたので、意図しない短絡を防止するとともに美観を向上させることができる。
また、本体部の全周にわたって端子を設けることとしたので、ペン型入力装置の軸線回りの回転方向を意識することなく収納穴に挿入でき、ペン型入力装置を収納穴に容易に収納することができる。
【図面の簡単な説明】
【００１８】
【図１】本発明の第１実施形態に係る電子機器を示し、（ａ）は収納穴にスタイラスペンが挿入されカバー部が開く前の状態を示す部分断面斜視図、（ｂ）はさらにスタイラスペンを挿入しカバー部が突起部に当接した状態を示す部分断面斜視図、（ｃ）はさらにスタイラスペンを挿入し端子と接点が接続した状態を示す部分断面斜視図である。
【図２】（ａ）は図１（ｂ）に対応した部分断面斜視図、（ｂ）は図１（ｃ）の対応した部分断面斜視図である。
【図３】コイルバネが設置された状態を示し、（ａ）は図１（ｂ）に対応した部分縦断面図、（ｂ）は図１（ｃ）に対応した部分縦断面図である。
【図４】収納穴を開口部側から見た側面図である。
【図５】本発明の第２実施形態に係るスタイラスペンを示し、（ａ）はカバー部が端子を覆った状態を示した斜視図、（ｂ）はカバー部が端子を露出させた状態を示した斜視図である。
【図６】スタイラスペンを収納穴内に挿入する状態を示し、（ａ）は進退部に収納穴の縁部が接触した状態を示した部分縦断面図、（ｂ）は進退部がカバー部内に収納された状態を示した部分縦断面図である。
【図７】図６に対応し、カバー部内にトーションバネを設けた状態を示した部分縦断面図である。
【図８】トーションバネを示した斜視図である。
【図９】端子と接点との構成を示し、（ａ）は端子が収納穴に収納される直前を示した部分縦断面図、（ｂ）は第１端子と第２接点とが対向した状態を示した部分縦断面図、（ｃ）は各端子が各接点に接続された状態を示した部分縦断面図である。
【図１０】図９の変形例を示した部分縦断面図である。
【発明を実施するための形態】
【００１９】
〔第１実施形態〕
以下に、本発明の第１実施形態について、図面を参照して説明する。
図１〜図３には、電子機器１の収納穴２に挿入されるスタイラスペン（ペン型入力装置）３が示されている。
【００２０】
電子機器１としては、例えば、ノートブック型パーソナルコンピュータ（ノート型ＰＣ）、タブレット型パーソナルコンピュータ（タブレット型ＰＣ）、スマートフォン等が挙げられる。
【００２１】
電子機器１の側面には、収納穴２が形成されている。収納穴２は、電子機器１の筐体の内部に向かって所定の軸線方向に直線状に形成されている。収納穴２の横断面形状は、スタイラスペン３の横断面形状に対応した形状とされている。
【００２２】
スタイラスペン３は、細長の棒形状とされており、図示しない先端部は先細形状となっている。本体部３ａの内部には、図示しないリチウムイオン電池等の二次電池が収容されている。スタイラスペン３の基端部側（先細の先端側とは反対側：図１において右方）には、平板形状とされたカバー部５が設けられている。カバー部５が設けられたスタイラスペン３の基端部における横断面形状は、図１に示されているように、Ｕ字部とＵ字部の両端部を接続した直線部で構成された非円形形状となっている。このように非円形形状とした横断面形状とすることで、スタイラスペン３の転がりを防止するとともに、軸線回りの所定角度で位置決めされて収納穴２に挿入されるようになっている。
【００２３】
カバー部５は、端子６を覆う被覆位置（図１（ａ））と、端子６を外部へ露出する露出位置（図１（ｃ））との間を軸線方向に移動するようになっている。すなわち、カバー部５は、本体部３ａに対して相対的にスライド移動する。
【００２４】
端子６は、スタイラスペン３内の二次電池に充電する際に用いられる電気接続用の端子とされており、収納穴２に形成された給電用の接点９に接続されるようになっている。端子６は、図１（ｃ）及び図２（ｂ）に示されているように、スタイラスペン３の幅方向（周方向；同図において上下方向）に２つ並べて設けられている。２つの端子６は、一方が正極用とされ他方が負極用とされる。
【００２５】
収納穴２に設けられた接点９は、スタイラスペン３が収納穴２に収納された状態で、端子６と接続される位置に設けられている。したがって、図４に示すように、２つの接点９が、収納穴２の高さ方向に２つ並べられて設けられている。なお、図４からも、収納穴２の横断面形状がＵ字部と直線部で構成された非円形形状とされていることが分かる。
【００２６】
接点９よりも収納穴２の開口側には、収納穴２の軸線側（内部側）に向かって突出する突起部１０が設けられている。なお、突起部１０と接点９とを隣接させて、これらの距離を可及的に近づけた方が好ましい。これは、スタイラスペン３に設けたカバー部５のスライド量を小さくできるからである。
【００２７】
図４に示されているように、突起部１０の突出量は、接点９の突出量よりも小さくされている。ただし、接点９の固定側の大部分を突起部１０によって隠すようになっている。
【００２８】
図３に示すように、スタイラスペン３内には、コイルバネ（付勢部材）１２が設けられている。コイルバネ１２の一端はスタイラスペン３の本体部３ａ側に固定されており、他端はカバー部５に固定されている。コイルバネ１２は、カバー部５が端子６を覆う被覆位置に位置するように付勢している。図３（ａ）及び（ｂ）に示すように、突起部１０によってカバー部５の一端が押圧された際にカバー部５が移動するようになっている。
【００２９】
次に、電子機器１の収納穴２内にスタイラスペン３を挿入して収納する際の動作について説明する。
【００３０】
図１（ａ）に示すように、スタイラスペン３の先端部から矢印Ａ方向に収納穴２に挿入する。このとき、スタイラスペン３のカバー部５は、コイルバネ１２の付勢力により、端子６を覆う被覆位置に位置している。
【００３１】
そして、図１（ｂ）、図２（ａ）及び図３（ａ）に示すように、カバー部５の一端に突起部１０が当接すると、スタイラスペン３を挿入する力の反作用として、カバー部５をスライド移動させる方向の力が加わる。このカバー部５をスライド移動する力がコイルバネ１２の付勢力に打ち勝つことによって、カバー部５がスライド移動する。
【００３２】
さらに、スタイラスペン３を挿入し続けると、図１（ｃ）、図２（ｂ）及び図３（ｂ）に示すように、カバー部５が端子６を露出する露出位置へと移動させられ、スタイラスペン３が完全に収納穴２内に収納されると、端子６が接点９と電気的に接続される。これにより、スタイラスペン３内の二次電池の充電が開始される。
【００３３】
本実施形態によれば、以下の作用効果を奏する。
被覆位置に位置したカバー部５によって、端子６を覆うことで、端子６を外部に露出させることがない。これにより、端子６において意図せず短絡が発生することを回避できるとともに、スタイラスペン３の美観を向上させることができる。
また、露出位置に位置したカバー部５によって、端子６を露出させて接点９と電気的な接続を行うことができる。
【００３４】
電子機器１に形成された収納穴２に挿入される動作に応じて、被覆位置から露出位置へとカバー部５をスライド移動させることとした。これにより、スタイラスペン３を収納穴２に収納させると同時に端子６を接続状態にすることができる。
【００３５】
収納穴２に設けられた突起部１０にカバー部５が接触することによって発生する力によってカバー部５をスライド移動させるようにすることで、スタイラスペン３を収納する際にカバー部５を円滑に移動させることができる。
【００３６】
スタイラスペン３の非収納時にカバー部５を被覆位置側に付勢するコイルバネ１２を設けることとしたので、非収納時には常に端子６を露出させない状態とすることができる。
【００３７】
図４に示したように、収納穴２の開口側から視認した場合に、収納穴２に設けられた突起部１０が接点９の大部分を隠すことができるので、電子機器１の収納穴２における美観を向上させることができる。
【００３８】
なお、本実施形態では、カバー部５を付勢する部材としてコイルバネ１２を用いたが、ゴム等の他の付勢部材を用いても良い。
【００３９】
［第２実施形態］
次に、本発明の第２実施形態について説明する。本実施形態は、スタイラスペンを電子機器の収納穴に挿入する点で第１実施形態と同様であるが、スタイラスペン等の構成が異なる。
【００４０】
図５に示されているように、スタイラスペン２０は、先端が先細形状とされた円筒形状とされている。この円筒形状に対応して、スタイラスペン２０が挿入される収納穴２の横断面形状も円形とされている。
【００４１】
スタイラスペン２０の本体部２０ａに対して、軸線方向にスライド移動するカバー部２１が設けられている。カバー部２１は、本体部２０ａの基端側と同等の径を有する円筒形とされている。カバー部２１には、電子機器１の収納穴２に収納されていない非収納時（図５（ａ）参照）にカバー部２１に対して外方に突出する進退部２２が設けられている。この外方に突出する進退部２２によって、スタイラスペン２０が転がることを防止することができる。進退部２２は、スタイラスペン２０が収納穴２に収納された収納時には、図５（ｂ）に示すように、カバー部２１内に退避する。このとき、本体部２０ａは、矢印Ｂ方向に移動して、端子２５が外部に露出する状態となる。
【００４２】
図６に示すように、進退部２２は、側面視した場合に略三角形状を有する板状体とされており、非収納時に第１角部２２ａがカバー部２１の外方に突出するようになっている。進退部２２の第２角部２２ｂは、スタイラスペン２０の先端側（同図において左側）に位置しており、カバー部２１に対してピンを介して回動可能に固定されている。進退部２２の第３角部２２ｃは、スタイラスペン２０の基端側（同図において右側）に位置しており、リンク部材２３の一端に対してピンを介して回動可能に固定されている。リンク部材２３の他端は、本体部２０ａの基端部２０ｂに対してピンを介して回動可能に固定されている。
【００４３】
本体部２０ａの基端部２０ｂ側は、カバー部２１の内部に挿入されており、カバー部２１に対して軸線方向にスライド移動可能になっている。
【００４４】
図６（ａ）の状態から、図６（ｂ）の状態のようにスタイラスペン２０を収納穴２内に押し込むと、収納穴２の縁部に対して進退部２２の斜辺が接触し、第２角部２２ｂ回りに進退部２２が回動されてカバー部２１内に収納される方向へと移動する。この動きに応じて、第３角部２２ｃに接続されたリンク部材２３を介して本体部２０ａの基端部２０ｂが軸線方向に押されて先端側（同図において左側）へと相対移動する。これにより、図６（ｂ）に示した状態となり、カバー部２１から端子２５が露出した状態となる。このように、カバー部２１は、図６（ａ）に示したような端子２５を覆う被覆位置と、図６（ｂ）に示したような端子を露出する露出位置との間を往復動する。
【００４５】
図７には、図６に対応する図であり、トーションバネ（付勢部材）２７が配置された状態を示している。トーションバネ２７は、図８に示すように、両端２７ａ，２７ｂの間の距離が小さくなると反発力を発生するバネとなっている。図７に示すように、トーションバネ２７の一端２７ａはカバー部２１の内周面側に当接されており、他端２７ｂは進退部２２の第３角部２２ｃ側に当接している。トーションバネ２７によって、カバー部２１は、図７（ａ）に示した被覆状態となるように付勢されている。スタイラスペン２０を図７（ｂ）に示すように収納穴２内に押し込んだときに、進退部２２が第１角部２２ａ回りに回動する力が打ち勝つことによって、トーションバネ２７が圧縮されるようになる。したがって、進退部２２に負荷が加わらない場合には、進退部２２はトーションバネ２７の付勢力によって常にカバー部２１の外方に突出するようになっている。
【００４６】
図９には、端子２５と、収納穴２に設けられた接点２９との関係が示されている。
端子２５は、本体部２０ａの先端側（同図において左側）から順に第１端子２５ａと第２端子２５ｂとを有している。第１端子２５ａ及び第２端子２５ｂは、それぞれ、本体部２０ａの全周にわたって形成されたリング状とされている。第１端子２５ａと第２端子２５ｂとの間は、本体部２０ａと同材質（例えば樹脂）とされた電気絶縁性を有する第１壁部３０ａによって仕切られている。第１端子２５ａの先端側の第２壁部３０ｂと第２端子２５ｂの基端側の第３壁部３０ｃも同様に電気絶縁性を有している。
【００４７】
第１壁部３０ａ、第２壁部３０ｂ及び第３壁部３０ｃの外径は、第１端子２５ａ及び第２端子２５ｂの外径よりも大きくされている。
第１端子２５ａの軸線方向における寸法すなわち幅は、第２端子２５ｂの幅よりも小さくされている。
【００４８】
接点２９は、収納穴２の奥側から手前側に順に軸線方向に並んで設けられた第１接点２９ａと第２接点２９ｂとを有してる。第１接点２９ａは第１端子２５ａと接続され、第２接点２９ｂは第２端子２５ｂと接続される。すなわち、第１接点２９ａと第１端子２５ａとの極性が同一であり、第２接点２９ｂと第２端子２５ｂとの極性が同一となっている。
第１接点２９ａの軸線方向における寸法すなわち幅は、第２接点２９ｂの幅よりも小さくされている。そして、第１接点２９ａの幅と第１端子２５ａの幅とは略同一とされており、第２接点２９ｂの幅と第２端子２５ｂの幅とは略同一とされている。
【００４９】
上記構成により、図９（ｂ）に示すように、スタイラスペン３を収納穴２内に挿入していき、第１端子２５ａが第２接点２９ｂと対向する位置となっても、第１端子２５ａよりも大径とされた壁部３０ａ，３０ｂが第２接点に接触し、しかも第１端子２５ａの幅が第２接点２９ｂの幅よりも小さいので、第１端子２５ａと第２接点２９ｂとが接触することがない。すなわち、第２接点２９ｂは、図９（ｂ）に示すように、第１端子２５ａに接触せずに乗り越えることができる。
そして、図９（ｃ）に示すように、スタイラスペン２０をさらに挿入すると、それぞれの幅が略一致しているので、第１端子２５ａと第１接点２９ａとが接触し、第２端子２５ｂと第２接点２９ｂとが接触する。
【００５０】
以上の通り、本実施形態によれば、以下の作用効果を奏する。
被覆位置に位置したカバー部２１によって、端子２５を覆うことで、端子２５を外部に露出させることがない。これにより、端子２５において意図せず短絡が発生することを回避できるとともに、スタイラスペン２０の美観を向上させることができる。
また、露出位置に位置したカバー部２１によって、端子２５を露出させて接点２９と電気的な接続を行うことができる。
【００５１】
電子機器１に形成された収納穴２に挿入される動作に応じて、被覆位置から露出位置へとカバー部２１をスライド移動させることとした。これにより、スタイラスペン２０を収納穴２に収納させると同時に端子２５を接続状態にすることができる。
【００５２】
収納穴２の縁部に進退部２２が接触することによって発生する力によってカバー部２１をスライド移動させるようにすることで、スタイラスペン２０を収納する際にカバー部２１を円滑に移動させることができる。
【００５３】
非収納時にカバー部２１を被覆状態に付勢するトーションバネ２７を設けることとしたので、非収納時には常に端子２５を露出させない状態とすることができる。
【００５４】
本体部２０ａの全周にわたって第１端子２５ａ及び第２端子２５ｂを設けることとしたので、本体部２０ａの軸線周りの向きがどの位置であっても、円形横断面とされた収納穴２に挿入し、第１接点２９ａ及び第２接点２９ｂに接続させることができる。これにより、ユーザがスタイラスペン２０の軸線回りの向きを意識することなく収納穴２に収納することができる。
【００５５】
収納穴２に設けられた第１接点２９ａ及び第２接点２９ｂは、収納穴２の奥側から手前側に順に設けられているので、スタイラスペン２０を収納穴２に挿入していくと、先ず第１端子２５ａと第２接点２９ｂとが対向することになる（図９（ｂ）参照）。しかし、電気的に第１端子２５ａと第２接点２９ｂは対応していないので、第１端子２５ａと第２接点２９ｂとが接続されることを回避する必要がある。本実施形態では、収納穴２にスタイラスペン２０が挿入される際に、第１端子２５ａが第２接点２９ｂと接続されずに第１端子２５ａを第２接点２９ｂが乗り越えるようにした。具体的には、第１端子２５ａの両側に、第１端子２５ａよりも大きな径とされた電気絶縁性を有する壁部３０ａ，３０ｂを設けた上で、第１端子２５ａの幅を第２接点２９ｂの幅よりも小さくした。これにより、スタイラスペン２０を収納穴２に挿入する際に、第２接点２９ｂは、第１端子２５ａに接触するよりも先に第１端子２５ａの両側に設けられた壁部３０ａ，３０ｂに接触することになるので、第１端子２５ａが第２接点２９ｂに接続されることがない。
【００５６】
なお、本実施形態では、図９に示したように、第１端子２５ａの幅よりも第２接点２９ｂの幅を大きくすることによって、スタイラスペン２０の挿入時に第１端子２５ａと第２接点２９ｂとが接触しないようにしたが、図１０のような構成によっても同様の効果を得ることができる。
【００５７】
図１０に示すように、第１端子２５ａの径を第２端子２５ｂの径よりも小さくする。第１接点２９ａは、第１端子２５ａに接続できる突出寸法とされており、また第２接点２９ｂよりも大きい突出寸法とされている。第２接点２９ｂは、第２端子２５ｂに接続できるような突出寸法とされている。このように、スタイラスペン２０の挿入時に第２接点２９ｂが第１端子２５ａ上を通過する際に、第２接点２９ｂの内周側先端が通過する位置よりも第１端子２５ａの径を小さくしている。
【００５８】
上記構成により、図１０（ｂ）に示すように、第１端子２５ａと第２接点２９ｂとが対向する場合であっても、第２接点２９ｂの突出寸法が小さく第１端子２５ａまで届かないので、第２接点２９ｂを第１端子２５ａに接触させることなく乗り越えさせることができる。
【００５９】
なお、本実施形態では、カバー部２１を付勢する部材としてトーションバネ２７を用いたが、ゴム等の他の付勢部材を用いても良い。
【符号の説明】
【００６０】
１  電子機器
２  収納穴
３  スタイラスペン（ペン型入力装置）
３ａ  本体部
５  カバー部
６  端子
９  接点
１０  突起部
１２  コイルバネ（付勢部材）
２０  スタイラスペン（ペン型入力装置）
２０ａ  本体部
２１  カバー部
２２  進退部
２２ａ  第１角部
２２ｂ  第２角部
２２ｃ  第３角部
２３  リンク部材
２５  端子
２７  トーションバネ（付勢部材）
２９  接点
３０ａ  第１壁部（大径部）
３０ｂ  第２壁部（大径部）
３０ｃ  第３壁部（大径部）
【図１】
2018073051.tif 000003
【図２】
2018073051.tif 000004
【図３】
2018073051.tif 000005
【図４】
2018073051.tif 000006
【図５】
2018073051.tif 000007
【図６】
2018073051.tif 000008
【図７】
2018073051.tif 000009
【図８】
2018073051.tif 000010
【図９】
2018073051.tif 000011
【図１０】
2018073051.tif 000012
【手続補正書】
【提出日】平成29年11月6日(2017.11.6)
【手続補正１】
【補正対象書類名】特許請求の範囲
【補正対象項目名】全文
【補正方法】変更
【補正の内容】
【特許請求の範囲】
【請求項１】
本体部の側部に設けられた電気接続用の端子と、
該端子を覆う被覆位置と該端子を露出する露出位置との間を前記本体部に対して相対移動するカバー部と、
電子機器に形成された収納穴に挿入される動作に応じて、前記被覆位置から前記露出位置へと前記カバー部を相対移動させる移動機構と、
を備え、
前記カバー部における横断面形状がＵ字部とＵ字部の両端を接続した直線部で構成された非円形形状とされ、該直線部に対応する位置に平板形状とされた前記カバー部が設けられているペン型入力装置。
【請求項２】
前記移動機構は、前記カバー部が前記収納穴に収納されていない非収納時に、前記カバー部を前記被覆位置に付勢する付勢部材を備えている請求項１に記載のペン型入力装置。
【請求項３】
前記移動機構は、前記収納穴に設けられた突起部に対して前記カバー部が接触した際に発生する力を利用して前記被覆位置から前記露出位置へと前記カバー部を相対移動させる請求項１又は２に記載のペン型入力装置。
【請求項４】
本体部の側部に設けられた電気接続用の端子と、
該端子を覆う被覆位置と該端子を露出する露出位置との間を前記本体部に対して相対移動するカバー部と、
電子機器に形成された収納穴に挿入される動作に応じて、前記被覆位置から前記露出位置へと前記カバー部を相対移動させる移動機構と、
を備え、
前記移動機構は、前記カバー部が前記収納穴に収納されていない非収納時に該カバー部に対して外方に突出しかつ該カバー部が前記収納穴に収納された収納時に前記カバー部内に退避する進退部を備えるとともに、
前記収納穴の縁部に前記進退部が接触した際に発生する力を利用して前記被覆位置から前記露出位置へと前記カバー部を相対移動させるペン型入力装置。
【請求項５】
前記端子は、前記本体部の先端側から順に設けられた第１端子及び第２端子を有し、
前記第１端子及び前記第２端子は、それぞれ、前記本体部の全周にわたって設けられるとともに、前記本体部が前記収納穴に収納された際に、前記収納穴の奥側から手前側に順に設けられた第１接点及び第２接点と接続され、
前記収納穴に前記本体部が挿入される際に、前記第１端子が前記第２接点と接続されずに該第２接点が該第１端子を乗り越えた後に前記第２端子と接続される請求項４に記載のペン型入力装置。
【請求項６】
前記第１端子の両側には、該第１端子よりも大きな径とされた電気絶縁性を有する大径部が設けられ、
前記第１端子の軸線方向における幅は、前記第２接点の軸線方向における幅よりも小さい請求項５に記載のペン型入力装置。
【請求項７】
前記第１端子の径は、前記本体部の挿入時に前記第２接点の内周側先端が該第１端子上を通過する位置よりも小さくされている請求項５に記載のペン型入力装置。
【請求項８】
前記移動機構は、前記カバー部が前記収納穴に収納されていない非収納時に、前記カバー部を前記被覆位置に付勢する付勢部材を備えている請求項４から７のいずれかに記載のペン型入力装置。
【請求項９】
本体部の先端側から順に設けられた第１端子及び第２端子を有し、
前記第１端子及び前記第２端子は、それぞれ、前記本体部の全周にわたって設けられるとともに、電子機器に形成された収納穴に前記本体部が収納された際に、前記収納穴の奥側から手前側に順に設けられた第１接点及び第２接点と接続され、
前記収納穴に前記本体部が挿入される際に、前記第１端子が前記第２接点と接続されずに該第２接点が該第１端子を乗り越えた後に前記第２端子と接続されるペン型入力装置。
【請求項１０】
筐体と、
該筐体に形成された収納穴に挿入される請求項１から９のいずれかに記載のペン型入力装置と、
を備えている電子機器。
【手続補正２】
【補正対象書類名】明細書
【補正対象項目名】０００８
【補正方法】変更
【補正の内容】
【０００８】
本発明のペン型入力装置は、本体部の側部に設けられた電気接続用の端子と、該端子を覆う被覆位置と該端子を露出する露出位置との間を前記本体部に対して相対移動するカバー部と、電子機器に形成された収納穴に挿入される動作に応じて、前記被覆位置から前記露出位置へと前記カバー部を相対移動させる移動機構とを備え、前記カバー部における横断面形状がＵ字部とＵ字部の両端を接続した直線部で構成された非円形形状とされ、該直線部に対応する位置に平板形状とされた前記カバー部が設けられている。